(57)【要約】【課題】ロック機構が弱まりにくく、電池蓋を容易に着脱できる電池蓋ロック機構及びそれを用いた電子装置を提供すること。【解決手段】本発明に係る電池蓋ロック機構は、電池蓋を電子装置のハウジングにロックするために用いられ、且つ前記ハウジングに装着されるスライド部材と、押圧部材と、電池蓋に設けられるフックと、を備える。前記スライド部材には、前記フックに係合される係止用ブロックが設けられる。前記押圧部材は、前記スライド部材のスライド方向に直交する方向に沿って移動可能に前記スライド部材に装着される。前記押圧部材を押圧すると、前記スライド部材が前記押圧部材に押圧されて前記電池蓋から離れるようにスライドすることによって、前記電池蓋のフックと前記係止用ブロックとの係合が解除される。【選択図】図４
2012033489.tif 000002
【特許請求の範囲】
【請求項１】
電池蓋を電子装置のハウジングにロックするために用いられ、且つ前記ハウジングに装着されるスライド部材と、押圧部材と、前記電池蓋に設けられるフックと、を備える電池蓋ロック機構であって、
前記スライド部材には、前記フックに係合される係止用ブロックが設けられ、前記押圧部材は、前記スライド部材のスライド方向に直交する方向に沿って移動可能に前記スライド部材に装着され、
前記押圧部材を押圧すると、前記スライド部材が前記押圧部材に押圧されて前記電池蓋から離れるようにスライドすることによって、前記電池蓋の前記フックと前記係止用ブロックとの係合が解除されることを特徴とする電池蓋ロック機構。
【請求項２】
前記スライド部材には、第一楔形壁がさらに設けられ、前記押圧部材は、押しボタン及び前記第一楔形壁と互いに当止する第二楔形壁を備え、前記押しボタンを押圧すると、前記第二楔形壁は、前記第一楔形壁を押圧して前記スライド部材をスライドさせ、前記係止用ブロックが前記スライド部材に誘導されて前記フックから離脱するので、前記電池蓋は、前記ハウジングに対してロック状態から解除されることを特徴とする請求項１に記載する電池蓋ロック機構。
【請求項３】
前記電池蓋ロック機構は、第一弾性部材をさらに備え、前記スライド部材は、前記係止用ブロックに対向して設けられる第一柱体を有し、前記第一弾性部材の一端は、前記第一柱体の周りに巻かれるように設置され、前記第一弾性部材の他端は、前記ハウジングに当止されるので、前記係止用ブロックが前記第一弾性部材の弾性力により前記フックに安定して係合されることを特徴とする請求項１または２に記載する電池蓋ロック機構。
【請求項４】
前記スライド部材は、貫通開口を有する筐体を備え、前記第一楔形壁は、前記貫通開口の端壁の内面に傾斜して形成され、
前記押圧部材は、基体を備え、前記第二楔形壁が前記基体の１つの端面を構成し、前記基体を前記貫通開口内に収納すると、前記第二楔形壁は、前記第一楔形壁に当接されることを特徴とする請求項２または３に記載する電池蓋ロック機構。
【請求項５】
前記電池蓋ロック機構は、第二弾性部材及び前記ハウジングに装着されるベース部をさらに備え、前記押圧部材は、前記押しボタンの反対側に突設される第二柱体を有し、
前記ベース部には凹溝が設けられ、前記第二弾性部材は、前記第二柱体と前記凹溝との間に装着されて前記押しボタンに弾性復帰力をもたらすことを特徴とする請求項２から４のいずれか一項に記載する電池蓋ロック機構。
【請求項６】
前記ベース部は、２つの側板及びこの２つの前記側板の間に設けられるブロックを備え、前記スライド部材を２つの前記側板の間に装着した後、前記筐体が前記ブロックの上面にスライド可能に当止されることを特徴とする請求項５に記載する電池蓋ロック機構。
【請求項７】
ハウジング、前記ハウジングに被せてロックされる電池蓋及び電池蓋ロック機構を備える電子装置であって、
前記電池蓋ロック機構は、前記ハウジングに装着されるスライド部材と、押圧部材と、前記電池蓋に設けられるフックと、を備え、
前記ハウジングには、貫通穴が設けられ、前記スライド部材には、係止用ブロックが設けられ、前記係止用ブロックは、前記貫通穴を貫通して前記フックと互いに係合し、
前記押圧部材は、前記スライド部材のスライド方向に直交する方向に沿って移動可能に前記スライド部材に装着され、前記押圧部材を押圧すると、前記スライド部材が前記押圧部材に押圧されて前記電池蓋から離れるようにスライドすることによって、前記電池蓋の前記フックと前記係止用ブロックとの係合が解除されることを特徴とする電子装置。
【発明の詳細な説明】
【技術分野】
【０００１】
本発明は、電池蓋ロック機構及びそれを用いた電子装置に関するものである。
【背景技術】
【０００２】
現在、広く用いられている携帯電話及び携帯情報端末（ＰＤＡ）等の携帯式電子装置は、一般的にリチウム電池を電源として用いる。通常、リチウム電池を携帯式電子装置の本体に設けられた収容凹部に収納してから、電池蓋を前記本体に係合させてリチウム電池を保護する。しかし、前記携帯式電子装置に電力を供給するリチウム電池の容量がなくなると、たびたび電池蓋を取り外して電池を取り換えらなければならない。従って、携帯式電子装置の本体に容易に着脱できる電池蓋のロック機構が望まれている。
【０００３】
従来の電池蓋は、一般的にクリップ又はロックピン等を介して携帯式電子装置の本体に設けられたスロットに係合されている。このタイプの電池蓋のロック機構は、構造が簡単であるが、頻繁な開放及びロック操作によって、クリップとスロットとの係合が弱まり易い。さらに、前記電池蓋のロック機構は、取り外し操作に時間と力とを必要とし、ユーザにとって不便である。
【発明の概要】
【発明が解決しようとする課題】
【０００４】
以上の問題点に鑑みて、本発明は、ロック機構が弱まりにくく、電池蓋を容易に着脱できる電池蓋ロック機構及びそれを用いた電子装置を提供することを目的とする。
【課題を解決するための手段】
【０００５】
上記の目的を達成するために、本発明に係る電池蓋ロック機構は、電池蓋を電子装置のハウジングにロックするために用いられ、且つ前記ハウジングに装着されるスライド部材と、押圧部材と、電池蓋に設けられるフックと、を備える。前記スライド部材には、前記フックに係合される係止用ブロックが設けられる。前記押圧部材は、前記スライド部材のスライド方向に直交する方向に沿って移動可能に前記スライド部材に装着される。前記押圧部材を押圧すると、前記スライド部材が前記押圧部材に押圧されて前記電池蓋から離れるようにスライドすることによって、前記電池蓋のフックと前記係止用ブロックとの係合が解除される。
【０００６】
また、上記の目的を達成するために、本発明に係る電子装置は、ハウジング、前記ハウジングに被せてロックされる電池蓋及び電池蓋ロック機構を備える。前記電池蓋ロック機構は、前記ハウジングに装着されるスライド部材と、押圧部材と、電池蓋に設けられるフックと、を備える。前記ハウジングには、貫通穴が設けられ、前記スライド部材には、係止用ブロックが設けられる。前記係止用ブロックは、前記貫通穴を貫通して前記フックと互いに係合する。前記押圧部材は、前記スライド部材のスライド方向に直交する方向に沿って移動可能に前記スライド部材に装着される。前記押圧部材を押圧すると、前記スライド部材が前記押圧部材に押圧されて前記電池蓋から離れるようにスライドすることによって、前記電池蓋のフックと前記係止用ブロックとの係合が解除される。
【発明の効果】
【０００７】
従来の技術に比べて、本発明の電池蓋ロック機構は、押圧部材を介してスライド部材をスライドさせることにより、電池蓋のフックと電子装置のハウジングに設けられた係止用ブロックとを互いに係合させ或いは両者の係合を解除する。これにより、電池蓋のフックとハウジングの係止用ブロックとの摩損が軽減され、押しボタンを押すだけで前記電池蓋をロック状態から解除できるので、電池蓋の着脱操作が容易になる。
【図面の簡単な説明】
【０００８】
【図１】本発明の電池蓋ロック機構を備える電子装置の部分的な分解図である。
【図２】図１に示した電子装置を別の視点から見た分解図である。
【図３】図１に示した電子装置の組立図である。
【図４】図３に示した電子装置のＩＶ−ＩＶ線に沿う断面図であり、電池蓋ロック機構はロック状態にある。
【図５】図３に示した電子装置の電池蓋ロック機構のロック状態が解除される過程を示す断面図である。
【発明を実施するための形態】
【０００９】
本発明の電池蓋ロック機構は、携帯電話及び個人用携帯情報端末（ＰＤＡ）等の電子装置に用いられる。本発明は、携帯電話を例として説明する。以下、図面を参照しながら本発明の実施形態に係る電池蓋ロック機構について詳細に説明する。
【００１０】
図１及び図２に示したように、本発明の電子装置は、ハウジング１０及びこのハウジング１０に係合される電池蓋２０を備える。本発明に係る電池蓋ロック機構は、前記ハウジング１０に装着されて、前記電池蓋２０を前記ハウジング１０にロックする役割を果たし、且つ前記電池蓋２０に設けられるフック２３、ベース部３０、スライド部材４０、押圧部材５０、第一弾性部材６０及び第二弾性部材７０を備える。
【００１１】
前記ハウジング１０は、主体部１１、対向する２つの端壁１２、対向する２つの側壁１３及び電池収容凹所１５を備える。前記主体部１１は、対向して配置されている外面１１１及び内面１１３を有する。２つの前記端壁１２及び２つの前記側壁１３は、それぞれ前記主体部１１の周縁に直交して延伸してなり、且つ順次に滑らかに連接する。前記電池収容凹所１５は、側壁１５１を備え、前記主体部１１の外面１１１から内面１１３に向かって窪んで形成される。前記電池収容凹所１５の前記側壁１５１と１つの端壁１２との間には、収容空間１４（図２を参照）が形成されている。前記外面１１１における前記電池収容凹所１５の長手方向の両側には、前記電池蓋２０を装着する場合に前記電池蓋２０の２つの翼部２２に嵌合される嵌合部１５３が設けられる。
【００１２】
前記ハウジング１０には、押しボタン穴１６、矩形凹所１７、収容凹所１８及び係止部１９が設けられている。前記押しボタン穴１６は、前記電池収容凹所１５と１つの端壁１２との間に設けられる。前記矩形凹所１７は、前記電池収容凹所１５の前記押しボタン穴１６に近接する一端の中部から窪んで形成され、且つ前記電池収容凹所１５の側壁１５１の一部を貫通する。前記矩形凹所１７は、底壁１７１を有する。前記収容凹所１８は、前記底壁１７１に設けられる。
【００１３】
前記係止部１９は、貫通穴１９１、スロット１９３及び突出部１９５を備える。前記貫通穴１９１は、前記矩形凹所１７の長手方向の側壁に設けられて、前記収容空間１４と前記収容凹所１８とを連通させる。前記スロット１９３は、前記収容空間１４内に位置する前記電池収容凹所１５の外壁に設けられ、且つ前記貫通穴１９１と上下方向で離間して平行に配列されている。前記突出部１９５は、前記スロット１９３の位置に対応するように１つの前記端壁１２の内面に突設される。
【００１４】
前記電池蓋２０は、２つの翼部２２を有する矩形のカバーボード２１を備える。前記翼部２２は、前記カバーボード２１の両側を少々折り曲げられて形成される。前記カバーボード２１の一端の内面の中部には、フック２３が設けられている。前記電池蓋２０が前記電池収容凹所１５に被せられた後、２つの前記翼部２２は前記嵌合部１５３内に嵌合される。
【００１５】
前記ベース部３０は、矩形の底板３１と、この底板３１の両辺から垂直に突出する２つの側板３２と、２つの前記側板３２の間の底板３１に設けられる矩形のブロック３３と、前記ブロック３３に隣接して前記底板３１に設けられる凹溝３４と、前記底板３１の延在方向に沿って前記底板３１の一端の側面に設けられるリブ３５と、を備える。前記リブ３５は、前記スロット１９３に係合され、前記底板３１の他端は、前記突出部１９５に係止される。
【００１６】
前記スライド部材４０は、筐体４１、第一楔形壁４２、係止用ブロック４３及び第一柱体４４を備える。前記筐体４１は、それぞれ対向して配置される２つの側壁及び２つの端壁４１１と、貫通開口４１２と、を備える。前記第一楔形壁４２は、１つの前記端壁４１１の内面から前記貫通開口４１２に向かって傾斜して形成されてなる。前記係止用ブロック４３及び前記第一柱体４４は、２つの前記端壁４１１の外面にそれぞれ突設される。前記スライド部材４０全体は、前記ブロック３３の上面に当止されるように前記ベース部３０の２つの側板３２の間に装着される。
【００１７】
前記押圧部材５０は、基体５１、第二楔形壁５２、押しボタン５４及び第二柱体５５を備える。前記基体５１は、断面が台形を呈する板体であり、対向して配置された第一表面５１１及び第二表面５１２を備える。前記第二楔形壁５２は、前記基体５１の１つの端面を構成し、前記第二表面５１２の一端から前記第一表面５１１に向かって傾斜して形成される。前記押しボタン５４は、前記基体５１の第一表面５１１から突出して形成される。前記第二柱体５５は、前記押しボタン５４の位置に対応して前記基体５１の第二表面５１２に突設される。
【００１８】
前記第一弾性部材６０及び前記第二弾性部材７０は、全て螺旋ばねである。前記第一弾性部材６０は、前記第一柱体４４に巻かれて設置される。前記第二弾性部材７０は、前記第二柱体５５に巻かれて設置される。
【００１９】
図３及び図４に示したように、前記電池蓋ロック機構を前記ハウジング１０に装着する場合、まず、前記押圧部材５０の第二柱体５５を前記スライド部材４０の貫通開口４１２に貫通させて、前記第一楔形壁４２と前記第二楔形壁５２とを互いに当接させる。次に、前記主体部１１の内面１１３から一体に組み立てられた前記スライド部材４０及び前記押圧部材５０を前記収容空間１４内に装着して、前記押しボタン５４を前記押しボタン穴１６に貫通させて前記外面１１１から露出させると共に、前記係止用ブロック４３を前記貫通穴１９１に貫通させて前記収容凹所１８内へ突出させる。この時、前記第一柱体４４に装着された前記第一弾性部材６０の自由端が前記端壁１２の内面に当止され、前記第一弾性部材６０全体が圧縮状態になる。次に、前記主体部１１の内面１１３から前記ベース部３０を前記スライド部材４０に装着して、前記第二柱体５５に装着された前記第二弾性部材７０の自由端を前記凹溝３４内に収納し、前記ブロック３３を前記スライド部材４０の筐体４１に当止させ、前記ベース部３０のリブ３５を前記スロット１９３に係合させ、且つ前記底板３１の前記リブ３５の反対側の一端を前記突出部１９５に係止させる。以上により、前記電池蓋ロック機構を前記ハウジング１０に装着することが完了する。
【００２０】
前記電池蓋２０を前記ハウジング１０に装着する場合、前記カバーボード２１を前記電池収容凹所１５に対応して被覆して、前記カバーボード２１を前記ハウジング１０に向かって押圧すると、前記フック２３は、前記収容凹所１８内に入って前記スライド部材４０の係止用ブロック４３に係止され、且つ前記係止用ブロック４３に水平方向に沿う押圧力を加える。この時、前記係止用ブロック４３の反対側の第一柱体４４に装着された前記第一弾性部材６０の弾性復帰力によって、前記係止用ブロック４３と前記フック２３とが係合状態に保持され、前記電池蓋２０が前記ハウジング１０に安定してロックされる。
【００２１】
図５に示したように、前記電池蓋２０を取り外す場合、前記押しボタン５４を押圧すると、前記第二弾性部材７０は圧縮され、前記押圧部材５０の第二楔形壁５２は前記ハウジング１０の内部に移動しながら、前記スライド部材４０の第一楔形壁４２を押圧して前記第一弾性部材６０を圧縮し、前記スライド部材４０は、前記ブロック３３の上面に沿って前記収容凹所１８から離れるようにスライドする。従って、前記係止用ブロック４３は、前記フック２３から離脱する。これで、前記電池蓋２０が前記ハウジング１０から取り外される。
【００２２】
本発明の実施形態によれば、前記電池蓋ロック機構は、前記ハウジング１０に装着され、且つベース部３０、第一楔形壁４２及び係止用ブロック４３が設けられたスライド部材４０と、押しボタン５４及び第二楔形壁５２が設けられた押圧部材５０と、を備える。前記電池蓋２０を前記ハウジング１０にロックした後、前記第一弾性部材６０の弾性復帰力により、前記第一楔形壁４２と前記第二楔形壁５２とが緊密に当接し、前記係止用ブロック４３と前記電池蓋２０のフック２３とが係合状態に保持される。これにより、前記係止用ブロック４３と前記フック２３との係合が弱まることが防止され、前記電池蓋２０が前記ハウジング１０に安定してロックされる。また、前記押しボタン５４を押圧すると、前記第二楔形壁５２は、前記第一楔形壁４２を推進して前記スライド部材４０を前記ブロック３０の上面でスライドさせることにより、前記係止用ブロック４３と前記フック２３との係合が解除され、前記電池蓋２０が前記ハウジング１０から容易に取り外される。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０            ハウジング
１１            主体部
１２            端壁
１３            側壁
１４            収容空間
１５            電池収容凹所
１６            押しボタン穴
１７            矩形凹所
１８            収容凹所
１９            係止部
２０            電池蓋
２１            カバーボード
２２            翼部
２３            フック
３０            ベース部
３１            底板
３２            側板
３３            ブロック
３４            凹溝
３５            リブ
４０            スライド部材
４１            筐体
４２            第一楔形壁
４３            係止用ブロック
４４            第一柱体
５０            押圧部材
５１            基体
５２            第二楔形壁
５４            押しボタン
５５            第二柱体
６０            第一弾性部材
７０            第二弾性部材
１１１          外面
１１３          内面
１５１          側壁
１５３          嵌合部
１７１          底壁
１９１          貫通穴
１９３          スロット
１９５          突出部
４１１          端壁
４１２          貫通開口
５１１          第一表面
５１２          第二表面
【図１】
2012033489.tif 000003
【図２】
2012033489.tif 000004
【図３】
2012033489.tif 000005
【図４】
2012033489.tif 000006
【図５】
2012033489.tif 000007